(57)【特許請求の範囲】
【請求項１】
結露により発生する水滴を検出して結露を検知する結露検知装置であって、
結露が発生する表面を有する結露発生部と、
前記結露発生部の前記表面に形成された凹凸部と、
前記結露発生部での結露による水滴を検出する水滴検出部と
を有し、
前記結露検知装置が設置された際に、前記結露発生部の前記表面は水平方向と交わる方向に延在し、且つ前記凹凸部は前記水滴検出部より上方に配置され、
前記結露発生部の前記表面から突出し前記結露発生部での結露により生成されて流れ落ちる水滴の大きさ程度に形成された複数の突起部をさらに有する結露検知装置。
【請求項２】
請求項１記載の結露検知装置であって、
前記結露発生部の前記表面に形成された凹凸部は、互いに平行に延在する複数の細長い凹部又は溝を含む結露検知装置。
【請求項３】
請求項１記載の結露検知装置であって、
前記結露発生部の前記表面に形成された凹凸部は、湾曲又は傾斜して延在し、一端側が前記水滴検出部に向かうように形成された複数の細長い凹部又は溝を含む結露検知装置。
【請求項４】
結露により発生する水滴を検出して結露を検知する結露検知装置であって、
結露が発生する表面を有する結露発生部と、
前記結露発生部の前記表面に形成された凹凸部と、
前記結露発生部での結露による水滴を検出する水滴検出部と
を有し、
前記結露検知装置が設置された際に、前記結露発生部の前記表面は水平方向と交わる方向に延在し、且つ前記凹凸部は前記水滴検出部より上方に配置され、
前記結露発生部の前記表面に形成された凹凸部は、前記表面から突出し前記結露発生部での結露により生成されて流れ落ちる水滴の大きさ程度に形成された複数の突起部を含む結露検知装置。
【請求項５】
内部に冷却水配管が施された水冷式電子装置と、
前記水冷式電子装置の近傍に配置された請求項１乃至４のうちいずれか一項記載の結露検知装置と、
前記結露検知装置を介して冷却水を前記水冷式電子装置に供給する冷水供給装置と
を有する電子機器。
【請求項６】
請求項５記載の電子機器であって、
前記結露検知装置からの結露検出信号に基づいて、前記水冷式電子装置の電源を遮断する制御部をさらに有する電子機器。
【請求項７】
電子機器内での結露を検知する結露検知方法であって、
結露発生部の表面で結露を生じさせ、
結露で生成された水滴を、前記結露発生部の前記表面から突出し前記結露発生部での結露により生成されて流れ落ちる水滴の大きさ程度に形成された複数の突起部で成長させ、前記結露発生部の前記表面に形成された凹凸部に沿って移動させて水滴検出部に導入し、
前記水滴検出部により水滴を検出して結露検知信号を出力する
ことを含む結露検知方法。
【請求項８】
請求項７記載の結露検知方法であって、
前記結露検知信号に基づいて、前記電子機器の電源を遮断することを含む結露検知方法。
【発明の詳細な説明】
【技術分野】
【０００１】
実施形態は、結露により生成された水滴を検出して結露を検知する結露検知装置に関する。
【背景技術】
【０００２】
電子機器の構成部品の温度が周囲の雰囲気の露点温度以下の温度になると、電子機器の構成部品上に結露が発生する。結露により生成された水分は、電子機器の金属部品の腐食の原因となったり、電子機器内部の電気回路の電極間の短絡の原因となり、結露による不具合が発生するおそれがある。
【０００３】
一般的に、液冷電子機器の設置環境の温度湿度及び冷却液の温度は、結露が発生しないように管理されている。しかし、空調機が故障したり、冷却液出力装置の温度異常が発生したりすると、電子機器に到達する冷却液の温度が露点より低くなり、電子機器の内部が結露状態となることがある。このような状態において電子機器の電源が投入されたり、電子機器が稼動を続けたりすることがある。この場合、電子機器の内部で結露による水滴がある量を超えると、電子機器内の電気回路において電極間短絡が発生し、電気回路の誤動作や電気回路の焼損等の障害の原因となるおそれがある。
【０００４】
このような結露による不具合を防止するために、電子機器に結露センサを設けて結露を検知し、結露対策を施すことが提案されている。すなわち、結露センサで結露が検知されると、電子機器の電源投入を禁止したり、電子機器内の乾燥処理を行なう。
結露センサには幾つかの種類がある。結露により生成された水滴が流れ出して検知部に到達したことを検知して結露を検知するタイプの結露水検知センサが知られている。このような結露水検知センサは、一般的に、結露しやすい金属等により形成された被測体と、被測体の一部に設けられた水滴センサ（液体センサ）とを有する。すなわち、被測体は、結露により生成された水滴が水滴センサに流れるような構造となっており、流れてきた水滴を水滴センサにより検出することで、結露が生じていることを検知する。
【０００５】
図１は上述の結露水検知センサの検知原理を説明するための図である。被測体１は金属等の結露が生じやすい材料により形成された例えば板状の部材である。被測体１上で結露により生成された水滴が成長し、被測体１の表面を流れ落ちるようになっている。水滴センサ２は、被測体１の下方に取り付けられた導光部３と、導光部３に向けて光を射出する光源４と、導光部３で反射された光を受光してその強度を検出するレシーバ５とを含む。
【０００６】
導光部３はプリズムのような部材であり、光源４からの光を反射する傾斜面３ａと、その反射光を更に反射してレシーバ５に向かわせる傾斜面３ｂとを有する。すなわち、光源４から発射された光は、傾斜面３ａで反射され、さらに傾斜面３ｂで反射されて、レシーバ５に入射する。レシーバ５は、入射した光の強度を検出して検出結果を出力する。
【０００７】
被測体１上で結露が発生していないか、あるいは結露が少ないときは、図１（ａ）に示すように、導光部３の傾斜面３ａと被測体１の表面との間は空隙となっている。したがって、光源４から発射された光は、傾斜面３ａで全反射されるため、光源４から発射されたときの強度とほぼ同じ強度の光がレシーバ５に入射する。
【０００８】
一方、被測体１上で結露が発生して水滴が形成され、その水滴が下方に流れると、図１（ｂ）に示すように、導光部３の傾斜面３ａと被測体１の表面との間に流れてきた水滴が溜まるようになっている。導光部３の傾斜面３ａに水滴が付着すると、傾斜面３ａに入射した光の一部は傾斜面３ａを透過してしまい、傾斜面３ａにおいて全反射が生じなくなる。したがって、傾斜面３ａで反射された光の強度は減少し、さらに傾斜面３ｂで反射されてレシーバ５に入射する光の強度は、光源４から発射された光の強度より小さくなる。
【０００９】
このように、レシーバ５に入射する光の強度の減少を検出することで、傾斜面３ａへの水滴の付着を検知し、結果として結露を検知することができる。
【００１０】
ここで、上述のように水滴の付着によって光の透過率が変わることを利用して水滴の付着を検出する方法として、自動車のフロントグラスの水滴を検出する方法が提案されている（例えば、特許文献１参照）。しかし、特許文献１に開示された水滴検出方法は、自動車のフロントグラスに付着する雨等の水滴を検出する方法であり、結露により生成される水滴を検出する方法ではない。
【先行技術文献】
【特許文献】
【００１１】
【特許文献１】特開平１０−３１１７８６号公報
【発明の概要】
【発明が解決しようとする課題】
【００１２】
図１に示すように被測体１上での結露により生成された水滴を検出する方法では、結露により大きな水滴が形成されてからでないと、結露の検出は行なえない。しかし、流れ落ちるような大きな水滴ができるまでの間には、結露により小さな水滴が多数生成される環境となっている。
【００１３】
設置環境の温度及び湿度にもよるが、結露発生時点から、結露による水滴が流れ出して一定の量が水滴センサに到達し検出される時点まで、通常数分から数十分かかってしまう。また、高密度実装の電子機器では、結露による水滴を集めるエリアが限られており、初期の結露による水滴を全て集めても水滴センサで検出できる量に達しないことがある。この場合、引き続き結露水滴を集める必要があり、十分な水滴量を集めるのに時間がかかってしまうおそれがある。
【００１４】
したがって、上述の結露水検知センサで結露を検知した時点で、すでに電子機器の内部には結露が発生してしまっているおそれがあり、より早く結露を検出できる結露検出装置の開発が望まれている。
【課題を解決するための手段】
【００１５】
一実施形態によれば、結露により発生する水滴を検出して結露を検知する結露検知装置であって、結露が発生する表面を有する結露発生部と、前記結露発生部の前記表面に形成された凹凸部と、前記結露発生部での結露による水滴を検出する水滴検出部とを有し、前記結露検知装置が設置された際に、前記結露発生部の前記表面は水平方向と交わる方向に延在し、且つ前記凹凸部は前記水滴検出部より上方に配置され、前記結露発生部の前記表面から突出し前記結露発生部での結露により生成されて流れ落ちる水滴の大きさ程度に形成された複数の突起部をさらに有する結露検知装置が提供される。
【００１６】
また、内部に冷却水配管が施された水冷式電子装置と、前記水冷式電子装置の近傍に配置された上述の結露検知装置と、前記結露検知装置を介して冷却水を前記水冷式電子装置に供給する冷水供給装置とを有する電子機器が提供される。
【００１７】
さらに、電子機器内での結露を検知する結露検知方法であって、結露発生部の表面で結露を生じさせ、結露で生成された水滴を、前記結露発生部の前記表面から突出し前記結露発生部での結露により生成されて流れ落ちる水滴の大きさ程度に形成された複数の突起部で成長させ、前記結露発生部の前記表面に形成された凹凸部に沿って移動させて水滴センサに導入し、前記水滴検出部により水滴を検出して結露検知信号を出力することを含む結露検知方法が提供される。
【発明の効果】
【００１８】
実施形態によれば、結露による水滴を結露開始から短時間で水滴検出部に案内して水滴を検出することができる。これにより、結露を短時間で検知することができ、電子機器内での結露による生じる不具合を確実に防止することができる。
【図面の簡単な説明】
【００１９】
【図１】水滴検出の原理を説明するための図である。
【図２】第１実施形態による電子機器の概略構成を示す図である。
【図３】図２に示す結露検知装置の正面図である。
【図４】図３におけるＩＶ−ＩＶ線に沿った断面図である。
【図５】凹凸部の他の例を示す断面図である。
【図６】結露検知装置により結露を検知する結露検知処理のフローチャートである
【図７】結露水収集板の凹凸部の形状を変えて、水滴センサに到達する水滴量（センサ到達水量）を計測した結果を示すグラフである。
【図８】湾曲した凹凸部又は溝を有する結露水収集板の正面図である。
【図９】第２実施形態による結露水収集板の正面図である。
【図１０】図９に示す結露水収集板の側面図である。
【図１１】溝状の凹凸部にさらに小さな突起部が設けられた結露水収集板の正面図である。
【図１２】図１１に示す結露水収集板の側面図である。
【図１３】傾斜して延在する凹凸部又は溝に突起部が設けられた結露水収集板の正面図である。
【発明を実施するための形態】
【００２０】
次に、実施形態について図面を参照しながら説明する。
【００２１】
図２は第１実施形態による電子機器の概略構成を示す図である。図２に示す電子機器は水冷機構を有する、例えばサーバ等の電子機器である。
【００２２】
図２に示す電子機器１０は、水冷式電子装置１２と、水冷式電子装置１２に冷却水を供給するための冷水供給装置１４とを有する。水冷式電子装置１２が上述の例えばサーバに相当する。水冷式電子装置１２の内部には、冷却水が循環する冷却水路（図示せず）が設けられており、冷水供給装置１４が生成した温度の低い冷却水（以下、冷水と称する）が、冷水流入管路１６を介して冷却水路に供給される。冷水が冷却水路を流れることで、水冷式電子装置１２の内部の発熱部品等が冷却される。水冷式電子装置１２の内部で吸熱して温度が高くなった冷却水（以下、熱水と称する）は、冷却水流出管路１８を流れて冷水供給装置１４に戻り、冷水供給装置１４で冷却されて再び冷水となって、水冷式電子装置１２に供給される。
【００２３】
冷水供給装置１４は、周知の冷却機構により熱水を冷却して冷水にする装置であり、その詳細な説明は省略する。また、水冷式電子装置１２は、周知の水冷機構を有するサーバやコンピュータ等の電子機器であり、その内部の構造についての詳細な説明は省略する。
【００２４】
本実施形態では、水冷式電子装置１２内での結露を検知する結露検知装置２０が設けられている。結露検知装置２０は、冷水供給装置１４から冷水を供給する冷水流入管路１６と水冷式電子装置１２との間に配置される。結露検知装置２０は、結露水収集板２２と、結露水収集板２２の下部に設けられた水滴センサ（水滴検出部）２４とを有する。
【００２５】
結露水収集板２２は、例えばステンレス鋼やアルミニウム等の金属のように表面に結露しやすい材料により形成された板状の部材であり、その内部に冷水が流れる冷水通路２２ａ（図３参照）が形成されている。冷水通路２２ａの一端に上述の冷水流入管路１６が接続され、冷水通路２２ａの他端には接続管路２６が接続される。接続管路２６は水冷式電子装置１２の冷却水路に接続される。したがって、冷水供給装置１４から冷水流入管路１６を介して供給される冷水は、まず、結露水収集板２２の冷水通路２２ａに入り、結露水収集板２２の内部を流れてから、接続管路２６を介して水冷式電子装置１２の冷却水路に供給される。したがって、結露水収集板２２は冷水供給装置１４から供給される冷水により冷却され、冷水の温度に近い温度となる。
【００２６】
結露水収集板２２は水冷式電子装置１２への空気取り入れ口の近傍に配置されており、結露水収集板２２の周囲の環境（温度、湿度）は、水冷式電子装置１２内の環境（温度、湿度）に等しいか近くなっている。したがって、水冷式電子装置１２内で結露が発生するときは、結露水収集板２２の表面においても結露が発生する。結露水収集板２２は、結露を発生させるための結露発生部の一例である。
【００２７】
結露水収集板２２の表面で結露が発生して成長すると水滴となる。結露が進むと水滴は大きくなり、表面張力では耐えきれなくなって結露水収集板２２の表面を伝って下方に流れ出す。このようにして流れ出した水滴は、結露水収集板２２の下部に設けられた水滴センサ２４に導かれて蓄積される。蓄積された水滴の量が所定の量となると、水滴センサ２４が反応して水滴を検知して水滴を検知したことを示す信号を出力する。
【００２８】
このように、結露による水滴を下方の水滴センサ２４まで導くために、結露水収集板２２は、結露が生じる表面が垂直になるように配置されることが好ましい。ただし、垂直方向に延在する必要はなく、水滴が流れることのできない水平方向でなければよい。すなわち、結露水収集板２２の表面は、水平方向と交わる方向に延在していればよい。
【００２９】
図３は結露水収集板２２の正面図である。結露水収集板２２の表面には、結露水収集板２２が垂直に配置されたときにその上縁から下縁に向かって延在する凹凸部（細長い凹部又は溝を含む）が形成されている。結露水収集板２２の表面での結露が成長して生じた水滴は、表面の凹凸部に沿って水滴検出部の一例である水滴センサ２４の位置まで流れて蓄積される。
【００３０】
図４は図３のＩＶ１−ＩＶ線に沿った断面図であり、凹凸部の断面が示されている。図４に示す例では、凹凸部の間隔（ピッチ）をｄとすると、凹凸部の高低差をｄ／２としている。このように上縁から下縁に向かって延在する凹凸部を表面に形成することにより表面積が増大し、表面上での結露により生成される水滴の成長が、表面が単なる平面であるときより促進され、より短時間で水滴が流れ出すようになる。また、流れ出した水滴は凹凸部により案内されて結露水収集板２２の下縁方向に向かい、下縁に配置された水滴センサ２４の位置に短時間で到達しやすくなる。したがって、表面に凹凸部を形成することで、結露開始から短時間で、検出可能な水滴量を水滴センサ２４まで流すことができ、短時間で結露を検知することができる。
【００３１】
なお、凹凸部の凹部の幅があまり小さいと、水滴が凹部内に留まってしまって凹凸部に沿って下方に流れに難くなるので、凹部の幅は流れ出す水滴の径よりより大きくすることが好ましい。
【００３２】
図５は凹凸部の他の例を示す断面図であり、凹凸部の凹部が溝形状となっている。すなわち、図５に示す例では、凹凸部の間隔（ピッチ）をｄとすると、溝の深さ（凹凸部の高低差に相当）もｄとしている。このように、凹凸部の高低差を大きくすることで、表面積をより大きくすることができる。図５に示す断面形状では、凹部を溝としてとらえたが、隣り合う突起部の間の空間が凹部に相当するととらえることもできる。すなわち、結露水収集板２２の表面に溝を形成して凹凸部を設けてもよく、あるいは、突起部を形成して凹凸部を設けてもよい。
【００３３】
なお、凹凸部の断面形状は、図４及び図５に示す形状に限られず、表面積を増大させて結露を促進し、且つ水滴を下方に導くことのできる形状であればどのような形状であってもよい。
【００３４】
ここで、結露検知装置により結露を検知する結露検知方法について図６を参照しながら説明する。図６は結露検知処理のフローチャートである。
【００３５】
結露検知処理が開始されると、まず、電子機器１０の制御部は、結露検知装置２０からの信号を取り込む（ステップＳ１）。続いて、電子機器１０の制御部は、結露検知装置２０からの信号が、水滴を検出したことを示す信号であるか否かを判定する（ステップＳ２）。ステップＳ２において、結露検知装置２０からの信号が水滴を検出したことを示す信号ででは無いと判定された場合は、処理はステップＳ１に戻り、再び結露検知装置２０からの信号を取り込む。
【００３６】
一方、ステップＳ２において、結露検知装置２０からの信号が水滴を検出したことを示す信号であると判定された場合は、処理はステップＳ３に進む。ステップＳ３では、制御部は電子機器１０の電源を遮断する（ＯＦＦとする）処理を行なう。このとき、結露状態であることを表示装置により管理者に通知したり、警報を発令して管理者に通知したりしてもよい。あるいは、電子機器１０の電源をＯＦＦとする代わりに、水冷式電子装置１２内を乾燥させて結露を減少させる処理を行なうこととしてもよい。
【００３７】
以上の結露検知方法によれば、上述の結露検知装置２０を用いて結露検知を行なうので、結露開始から短時間で結露を検知することがでる。すなわち、結露による水滴を表面に凹凸部が設けられた結露水収集板２２により収集することで、短時間で結露を検知する。これにより、水冷式電子装置１２内での結露量（結露により生成された水滴量）が問題を起こすほどに多くなる前に、電源ＯＦＦ等の対策を施すことがでる。したがって、結露による不具合の発生を確実に防止することができる。
【００３８】
図７は上述の結露水収集板２２の凹凸部の形状を変えて、水滴センサ２４に到達する水滴量（センサ到達水量）を計算により求めた結果を示すグラフである。計算条件は以下のとおりである。
【００３９】
電子機器設置環境：
空調正常稼動時  室温２５℃／湿度５０％（露点温度：１３．９℃）
空調障害発生時  室温２８℃／湿度７０％（露点温度：２２．０℃）
・冷水温度：  １６℃
・結露水収集板サイズ：  ５０ｍｍ×５０ｍｍ
・凹凸縦縞の形状：  ｄ＝１０ｍｍ
・流れ始める水層厚さ：  ０．２ｍｍ（水滴サイズ⇒φ０．４ｍｍ）
・水滴センサの水滴検出に必要な水量：  １ｍｌ
図７における◆を結ぶ線は、結露水収集板２２の表面を平面としたときに結露で生じる水滴量の増加を示しており、結露開始から時間が経過するにしたがって、結露水収集板２２の表面上の水滴量が増加していくことがわかる。図７における■を結ぶ線は、結露水収集板２２の表面を平面としたときに、水滴センサ２４に到達する水滴量を示しており、結露開始から約５分後に水滴が水滴センサ２４に到達しはじめることがわかる。
【００４０】
図７における×を結ぶ線は、結露水収集板２２の表面に図４に示す凹凸部を設けたときに、水滴センサ２４に到達する水滴量を示している。結露開始から約５分後に水滴が水滴センサ２４に到達しはじめ、その後、水滴センサ２４に到達する水滴量は平面のときよりも早く増加することがわかる。また、図７における＊を結ぶ線は、結露水収集板２２の表面に図５に示す凹凸部を設けたときに、水滴センサ２４に到達する水滴量を示している。結露開始から約５分後に水滴が水滴センサ２４に到達しはじめ、その後、水滴センサ２４に到達する水滴量は図４に示す凹凸部のときよりも早く増加することがわかる。したがって、図７に示す例では、図４及び図５に示すような凹凸部を設けた場合のほうが、水滴センサ２４に到達する水滴量の増加は平面のときよりも早く、より早く結露を検知することができることがわかる。また、図４及び図５に示す凹凸部を比較した場合、図５に示す凹凸のほうが水滴センサ２４に到達する水滴量の増加は図４に示す凹凸部のときよりも早く、より早く結露を検知することができることがわかる。
【００４１】
なお、図７における▲を結ぶ線は、凹凸部の凹部の幅（溝の幅）を狭くしたときに、水滴センサ２４に到達する水滴量を示している。凹凸部の凹部の幅（溝の幅）が狭いと、水滴が凹部の両壁に付着して毛細管現象が発生し、水滴が重力で流れ落ちにくくなる。したがって、水滴が水滴センサ２４に到達するまでの時間が約９分と長くなってしまう。したがって、凹凸部の凹部の幅は、流れ落ちる水滴の径より大きくする必要があることがわかる。
【００４２】
また、図７に示す計算結果から以下のこともわかる。
【００４３】
１）結露水収集板の温度（１６℃）が露点温度２２．０℃を下回ると結露が発生し、結露による水滴量は結露開始からの時間に比例して増える。
【００４４】
２）「平面」、「図４の凹凸」、「図５の凹凸」の３種類の表面上の水層厚さは等しく、結露開始から５分経過すると、水層厚さは０．２ｍｍに達し、水滴が流れ落ち始める。流れ出す水滴の面密度は等しく、面積の大きい方が水滴センサに到達する水量も多い。
【００４５】
３）「狭溝幅」（溝幅＝０．２ｍｍ）の場合、一部の水滴が毛細管現象により、溝に付着して溝を埋めるまで（９分間）、水滴は落下せず、９分経過してから水滴が流れ始める。
【００４６】
ここで、結露開始から水滴センサ反応までの総時間ｔａは、ｔａ＝ｔ０＋ｔ１となる。ｔ０は結露開始から水滴流れ始めまでの時間であり、ｔ１は水滴流れ始めから水滴センサ反応までの時間である。「平面」、「図４の凹凸」「図５の凹凸」の３種類の表面に関する計算結果をまとめると以下の表のようになる。なお、結露開始から水滴流れ始めまでの時間ｔ０は５分である。
【００４７】
【表１】
0005609710.tif 000002
【００４８】
以上のごとく、本実施形態による凹凸部を有する結露路水収集板を用いると、従来の平面の結露路水収集板を用いるよりも、結露検知時間を３〜６分短縮することがきる。ただし、この短縮時間は条件により異なるため、あくまでも、上述の計算条件での値である。このように短縮した結露検知時間で、電子機器の電源をＯＦＦすることができ、結露による不具合の発生を確実に防止することができる。電源をＯＦＦした後は、電子装置内の乾燥を行なってから、通常の運転に戻せばよい。
【００４９】
なお、図４及び図５に示す凹凸部又は溝は、直線状に水滴センサ２４が位置する縁部に向かって平行に延在しているが、凹凸部又は溝を傾斜させたり、湾曲させたりすることもできる。図８は、湾曲した凹凸部又は溝を有する結露水収集板２２Ａの平面図である。凹凸部は湾曲して一端側が広くなっており、他端側が水滴センサ２４の位置に集中するようになっている。このように凹凸部又は溝を湾曲させたり傾斜させたりすることで、凹凸部の凹部又は溝に沿って流れる水滴を効率的に水滴センサ２４に導くことができる。
【００５０】
また、図２において、結露検知装置２０は水冷式電子装置１２の外側で近傍に配置されているが、水冷式電子装置１２の内部にスペースを確保できれば、結露検知装置２０を水冷式電子装置１２の内部に設けることとしてもよい。
【００５１】
次に、第２実施形態について説明する。第２実施形態による電子機器は、結露水収集板の凹凸部が第１実施形態とは異なるが、それ以外の構成は第１実施形態による電子機器と同じであるので、その説明は省略する。
【００５２】
図９は、第２実施形態による結露水収集板２２Ｂの正面図である。図１０は図９に示す結露水収集板２２Ｂの側面図である。本実施形態による凹凸部は、結露水収集板２２Ｂの表面上で水滴センサ２４の上方に設けられた複数の小さな突起部（粒状部）３０に相当する。突起部３０は、結露水収集板２２Ｂの表面から例えば半球状に突出した部分であり、各突起部３０の径及び突出高さは、例えば１ｍｍ程度である。この各突起部３０の大きさは、結露水収集板２２Ｂの表面に結露により生成される水滴の大きさに基づいて決定される。
【００５３】
すなわち、各突起部３０の大きさを、結露水収集板２２Ｂの表面に結露により生成される水滴であって、重力により流れ落ちる水滴の大きさ程度かそれより小さくしている。これにより、結露による水滴が成長して自然と落下するような大きさになる前に、表面上を流れ落ちるようにする。各突起部３０上で成長した結露による水滴は、結露水収集板２２Ｂの表面から突出している各突起部３０から垂れ下がるような状態となり、水滴の付着力は平面のときよりは小さくなる。したがって、各突起部３０から垂れ下がる水滴は、大きく成長しなくても自重により落下するようになり、結露が始まってから水滴が流れ落ちるまでの時間は平面のときよりも短くなる。これにより、水滴センサ２４はより早く水滴を検出することとなり、より早く結露を検知することができる。
【００５４】
上述のように、結露発生部の一例である結露水収集板２２Ｂの表面に、複数の粒状突起部３０を形成することで、結露する表面積が増えるだけではなく、水滴を形成する核の数が増化することとなる。これにより、流れ始める水滴の面密度を増大させることができ、結果として、水滴が流れ始めるまでの時間と流れ出した後に検出可能な量に蓄積されるまでの時間を短縮することができる。
【００５５】
なお、各突起部３０の形状は、半球状に限定されず、上述のような大きさで表面から突出する形状であれば、任意の形状とすることができる。また、突起部３０の形成方法としては、金型を用いた圧造、溶融金属を型に流し込む鋳造、及び機械加工等の様々な方法を採用することができる。
【００５６】
以上の第２実施形態による突起部を第１実施形態による凹凸部に加えることで、結露開始から結露検知までの時間をより短くすることができる。図１１は、溝状の凹凸部にさらに小さな突起部が設けられた結露水収集板２２Ｃの正面図である。図１２は図１１に示す結露水収集板２２Ｃの側面図である。結露水収集板２２Ｃの表面には、第１実施形態による凹凸部又は溝が形成されており、且つ凹凸部又は溝に、第２実施形態による突起部３０が設けられている。図１３は、傾斜して延在する凹凸部又は溝に、突起部が設けられた結露水収集板２２Ｄの正面図である。凹凸部又は溝部は傾斜しており、一端側が水滴センサ２４に向かって延在している。
【符号の説明】
【００５７】
１０  電子機器
１２  水冷式電子装置
１４  冷水供給装置
１６  冷水流入管路
１８  熱水流出管路
２０  結露検知装置
２２，２２Ａ，２２Ｂ，２２Ｃ，２２Ｄ  結露水収集板
２２ａ  冷水通路
２４  水滴センサ
２６  接続管路
３０  突起部
【図１】
0005609710.tif 000003
【図２】
0005609710.tif 000004
【図３】
0005609710.tif 000005
【図４】
0005609710.tif 000006
【図５】
0005609710.tif 000007
【図６】
0005609710.tif 000008
【図７】
0005609710.tif 000009
【図８】
0005609710.tif 000010
【図９】
0005609710.tif 000011
【図１０】
0005609710.tif 000012
【図１１】
0005609710.tif 000013
【図１２】
0005609710.tif 000014
【図１３】
0005609710.tif 000015